(57)【要約】      （修正有）【課題】容器本体の口頸部へのキャップの開閉を必要とせず、ワンタッチで脱着できるチューブ状容器の台座を提供する。【解決手段】チューブ状容器の台座１は、チューブ状の容器本体の開口縁外周に嵌合させて液体を吐出する口頸部に装着される、容器倒立時の台座であって、容器の口頸部は、容器本体の開口縁外周に嵌合する嵌合壁と、容器本体から流入する液体を受けて貯留する内底面を備える液体貯留部と、液体を吐出する吐出口とを備え、台座は、矩形板の平面に、口頸部の外側面を挟んで容器本体を倒立させて支持可能とする支持溝１０が設けられ、該支持溝は、容器の口頸部の挿入対応部位に、該口頸部を挟む該支持溝の内側対向面と、吐出口を閉鎖可能とする溝底面１０３とを備えることを特徴とする。【選択図】図１
0003225890.tif 000002
【実用新案登録請求の範囲】
【請求項１】
チューブ状の容器本体の開口縁外周に嵌合させて液体を吐出する口頸部に装着される、容器倒立時の台座であって、
前記口頸部は、前記容器本体の前記開口縁外周に嵌合する嵌合壁と、前記容器本体から流入する液体を受けて貯留する内底面を備える液体貯留部と、前記液体を吐出する吐出口と、を備え、
前記台座は、矩形板の平面に、前記口頸部の外側面を挟んで前記容器本体を倒立させて支持可能とする支持溝が設けられ、該支持溝は、前記口頸部の挿入対応部位に、前記口頸部を挟む該支持溝の内側対向面と、前記吐出口を閉鎖可能とする溝底面と、を備えることを特徴とするチューブ状容器の台座。
【請求項２】
前記支持溝は、前記内側対向面の両方に立設した複数の突条柱体を備え、前記口頸部の前記支持溝への嵌合時に、該複数の突条柱体のうち少なくとも三つ以上の突条柱体が前記口頸部の外側面に当接して前記口頸部を支持することを特徴とする請求項１に記載のチューブ状容器の台座。
【請求項３】
前記支持溝の前記内側対向面の一方の面に立設された前記突条柱体は、他方の面に立設された突条柱体と対向して配列されないものであることを特徴とする請求項２に記載のチューブ状容器の台座。
【請求項４】
前記支持溝は、長さ方向の一方に、前記口頸部の外側面を摺動させて嵌め込んで着脱できる入口を備え、長さ方向の他方端は閉鎖されチューブ状容器の口頸部のキャップともなることを請求項１に記載の特徴とするチューブ状容器の台座。
【請求項５】
前記他方端は、その内面の任意の位置に小さな突起を備えることを特徴とする請求項４に記載のチューブ状容器の台座。
【請求項６】
前記支持溝は、前記内側対向面のそれぞれの前記入口から奥に向かって長さ方向の任意の位置に、突条柱体を備えることを特徴とする請求項４又は５に記載のチューブ状容器の台座。
【考案の詳細な説明】
【技術分野】
【０００１】
本考案は、ハミガキ粉や化粧品等のチューブ状容器を倒立させて載置する台座に関する。
【背景技術】
【０００２】
従来、チューブ容器は、チューブ本体と、口頸部と、キャップからなり、キャップを取り外した後に、その押出口より内容物を押出し使用する構造となっている。容器内の内容物が少なくなった状態になると、容器を逆さにし、内容物を口頸部側に移動し、この移動した内容物を押出口より取り出すことが通常行われている。しかし、このような構造では、チューブ本体の内容物は取り出せても、口頸部に残留した内容物を取り出すことは困難である。
そこで、本願出願人は、ハミガキ粉や化粧品等の内容物を容易に吐出し、最後まで該内容物を使い切ることができるチューブ容器を発明又は考案し、当該チューブ容器を倒立させて載置できる台座も提案している（特許文献２、３）。
【０００３】
特許文献２及び３によれば、チューブ容器は、使用しないときは台座に戴置するようにし、台座は種々の構造を採用することができるとしている。例えば、単純に、台座の支持面で、口頸部の外面を支持するようにしてもよいし、口頸部の外面の任意の箇所に凸部を設け、台座の支持面に、凸部が当接する位置に凹部を備えるようにしてもよいし、さらに、台座に案内レールを設け、口頸部が摺動して出し入れできるような構成にしてもよい。またさらに、上述の凸部と凹部に相当する部分に、それぞれ対極の磁石片を貼り付けた構成にしてもよい、とした。
【先行技術文献】
【特許文献】
【０００４】
【特許文献１】特開２０１０−９５２５６号公報
【特許文献２】特許第６４４２７９３号公報
【特許文献３】実用新案登録第３２１５８０７号公報
【考案の概要】
【考案が解決しようとする課題】
【０００５】
しかしながら、特許文献２及び３に示すような台座では、チューブ容器の口頸部を片手でもってワンタッチに台座に装着することは容易ではなく、場合によっては容器が台座から外れることもある。
【０００６】
以上のような問題点に鑑みて、本考案の目的は、容器本体の口頸部へのキャップの開閉を必要とせず、ワンタッチで脱着できるチューブ状容器の台座を提供することである。
【課題を解決するための手段】
【０００７】
本考案に係るチューブ状容器の台座は、チューブ状の容器本体の開口縁外周に嵌合させて液体を吐出する口頸部に装着される、容器倒立時の台座であって、容器の口頸部は、容器本体の開口縁外周に嵌合する嵌合壁と、容器本体から流入する液体を受けて貯留する内底面を備える液体貯留部と、液体を吐出する吐出口と、を備え、台座は、矩形板の平面に、口頸部の外側面を挟んで容器本体を倒立させて支持可能とする支持溝が設けられ、該支持溝は、容器の口頸部の挿入対応部位に、該口頸部を挟む該支持溝の内側対向面と、吐出口を閉鎖可能とする溝底面と、を備えることを特徴とする。
【０００８】
また、支持溝は、内側対向面の両方に立設した複数の突条柱体を備え、口頸部の支持溝への嵌合時に、該複数の突条柱体のうち少なくとも三つ以上の突条柱体が口頸部の外側面に当接して口頸部を支持するようにするとよい。さらに、支持溝の内側対向面の一方の面に立設された突条柱体は、他方の面に立設された突条柱体と対向して配列されないようにすると、口頸部が台座に確実に支持できる。
【０００９】
別の形態として、支持溝は、長さ方向の一方に、口頸部の外側面を摺動させて嵌め込んで着脱できる入口を備え、長さ方向の他方端は閉鎖すれば、チューブ容器の口頸部のキャップとしても使用できる。さらに、他方端の内面の任意の位置に小さな突起を備えるようにすれば、口頸部の抜け止めとなる。また、支持溝は、内側対向面のそれぞれの入口から奥に向かって長さ方向の任意の位置に、突条柱体を備えれば、口頸部が外れることを防止することができる。
【考案の効果】
【００１０】
本考案によれば、この考案に係るチューブ状容器の台座は、容器本体の口頸部へのキャップの開閉を必要とせず、ワンタッチで脱着できて便利である。また、該チューブ状容器の口頸部を支持する台座を配設することによって、容器を倒立させても、外部に内容物が吐出することも未然に防止することができる。さらに、本考案の構造はシンプルであり、製造コストを低減する効果がある。
【図面の簡単な説明】
【００１１】
【図１】本考案の実施例１に係るチューブ状容器の台座１の全体構成を示す斜視図である。
【図２】実施例１に係るチューブ状容器の台座１の正面図（ａ）、平面図（ｂ）、右側面図（ｃ）を示す。
【図３】実施例１に係るチューブ状容器２の全体（ａ）と口頸部２０の底面の形状（ｂ）を示す図である。
【図４】チューブ状容器２を本考案の実施例１に係る台座１に載置した状態を示す斜視図である。
【図５】チューブ状容器２の口頸部２０を本考案の実施例１に係る台座１にさまざまな位置に載置した状態における、支持溝が口頸部を支持する様子を示す平面図である。
【図６】チューブ容器２の口頸部２０のキャップ（兼台座）３を示す斜視図である。
【図７】キャップ（兼台座）３にチューブ容器２の口頸体２０を脱着する様子を示す平面図である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１は、本考案の実施例１に係るチューブ状容器の台座１の全体構成を示す斜視図である。図２は、実施例１に係るチューブ状容器の台座１の正面図（ａ）、平面図（ｂ）、右側面図（ｃ）を示す。
【００１５】
図１及び２を参照する。台座１は、矩形板の平面に、口頸部２０の外側面を挟んで容器本体２１を倒立させて支持可能とする支持溝１０が設けられ、該支持溝１０は、容器の口頸部２０の挿入対応部位に、該口頸部２０を挟む該支持溝１０の内側対向面１００、１０１と、吐出口２０３を閉鎖可能とする溝底面１０３と、を備える。
また、支持溝１０は、内側対向面１００、１０１の両方に立設した複数の突条柱体１１０、１１１を備える。なお、支持溝１０の内側対向面１００、１０１の一方の面に立設された突条柱体１１０、１１１は、他方の面に立設された突条柱体１１０、１１１と対向して配列されないようにすると、口頸部２０が台座１に確実に支持できるが、対向するように配置してもよく、限定されない。
【００１６】
図３を参照する。図３に示すとおり、チューブ容器２は、口頸部２０と、チューブ本体２１とからなる。そして、口頸部２０は、容器本体の開口縁外周に嵌合する嵌合壁２０１と、容器本体から流入する液体を受けて貯留する内底面を備える液体貯留部２０２と、液体を吐出する吐出口２０３と、を備える。チューブ本体２１は、筒状体の一端（図３においては上方）が閉鎖され、内容物Ｘ（図示していない）を吐出する側である他端（図３においては下方）が開口され、この開口縁に口頸部２０の嵌合壁２０１の内面（図示していない）を、チューブ本体２１の開口縁外周に嵌合させて固定される。なお、チューブ本体２１は、可撓性を有する素材で成形されるとよい。例えば、材料として低密度ポリエチレンを用いることができるがこれに限定されない。
【００１７】
図４を参照する。図４は、実施例１に係る台座１にチューブ容器２を戴置した状態を示す図である。図５は、図４に示したチューブ状容器２の口頸部２０を、本考案の実施例１に係る台座１にさまざまな位置に載置した状態における、支持溝１０が口頸部２０を支持する様子を示す平面図である。
【００１８】
図５を参照する。図５（ａ）は、口頸部２０が、突条柱体１１０ｃ、１１０ｄ、１１０ｅ、１１１ｃ、１１１ｄの５つで支持されており、図５（ｂ）は、同じ口頸部２０が、突条柱体１１０ｃ、１１０ｄ、１１０ｅ、１１１ｃ、１１１ｄの５つで支持されている。使用者は容器２の容器本体２１を倒立状態で片手で掴み、台座１の支持溝１０の任意の位置に差し入れれば確実に容器２を支持することが可能となる。また、容器２の取り出しについても同様であり、ワンタッチで脱着することができ便利である。
なお、図５（ｃ）については、（ａ）及び（ｂ）における口頸部２０よりも長さ方向に長い口頸部を突条柱体１１０ｃ、１１０ｄ、１１０ｅ、１１１ｃ、１１１ｄ、１１０ｅの６つで支持されている。図５（ｄ）については、（ａ）及び（ｂ）における口頸部２０よりも長さ方向に短い口頸部を突条柱体１１０ｃ、１１０ｄ、１１１ｃの３つで支持されている。
【００１９】
図５は、一例であり、口頸部２０の支持溝１０への嵌合時に、該複数の突条柱体１１０、１１１のうち少なくとも三つ以上の突条柱体１１０、１１１が口頸部の外側面に当接して口頸部を支持するようにするとよい。さらに、前述したとおり、支持溝１０の内側対向面の一方の面に立設された突条柱体１１０、１１１は、他方の面に立設された突条柱体１１０、１１１と対向して配列されないようにすると、口頸部２０が台座１に確実に支持できる。
【実施例２】
【００２０】
実施例２を図面を参照して詳細に説明する。
【００２１】
図６は、実施例２に係るチューブ容器１のキャップ（兼台座）３を示す図で、斜視図（ａ）と平面図（ｂ）である。図７は、キャップ（兼台座）３にチューブ容器２の口頸部２０を脱着する様子を示す平面図である。
図６に示すとおり、キャップ３は、矩形板の平面に、チューブ容器２の口頸部２０の外側面を挟んで容器本体２１を倒立させて支持可能とする支持溝３０が設けられ、支持溝３０は、長さ方向の一方に、口頸部２０の外側面を摺動させて嵌め込んで着脱できる入口を備え、長さ方向の他方端３４０は閉鎖されている。支持溝３０は、容器の口頸部２０の挿入対応部位に、口頸部２０を挟む該支持溝３０の内側対向面３１１、３１２と、口頸部２０の吐出口Ｔを閉鎖可能とする溝底面３３０と、を備える。
図７においては、図に向かって左側から、支持溝３０の入口から、長さ方向に、口頸部２０の外側面を摺動させて嵌め込んで着脱できるようになっている。そして、支持溝３０の長さ方向の他方端３４０は閉鎖されている。なお、他方端３４０の内面の任意の位置に一又は複数の小突起（実施例３においては小突起３４１、３４２）を設けることで、口頸部２０の抜け止めとしてもよい。さらに、支持溝３０の内側対向面３１１、３１２のそれぞれの入口から奥に向かって長さ方向の任意の位置に突条柱体３２１、３２２を設けることで、口頸部２０の外れ防止とすることができる。
本発明に係るチューブ容器２は、使用しないとき、例えばチューブ容器２を持ち歩くときはキャップ３を装着するようにしてもよいし、当該キャップ３は台座として使用し、チューブ容器２を戴置するようにしてもよい。
【００２２】
以上、本考案に係るチューブ状容器の台座１における好ましい実施形態を図示して説明してきたが、本考案の技術的範囲を逸脱することなく種々の変更が可能であることは理解されるであろう。
【産業上の利用可能性】
【００２３】
本考案に係るチューブ状の容器の台座は、構造が簡易であるので、歯磨き粉や化粧品のほか、食品の分野等の容器用として広く利用することができる。
【符号の説明】
【００２４】
１  台座
１０  支持溝
１００  溝内側面
１０１  溝内側面
１０３  溝底面
１１０  １１１  突条柱体
２  チューブ容器
２０  口頸部
２０１  嵌合壁
２０２  液体貯留部
２０３  吐出口
２１  容器本体
３  キャップ
３０  支持溝
３２１  ３２２  突条柱体
３４１  ３４２  小突起
【図１】
0003225890.tif 000003
【図２】
0003225890.tif 000004
【図３】
0003225890.tif 000005
【図４】
0003225890.tif 000006
【図５】
0003225890.tif 000007
【図６】
0003225890.tif 000008
【図７】
0003225890.tif 000009